(57)【特許請求の範囲】
【請求項１】
搬送手段により搬送されてくる記録対象の被記録体に対し、搬送方向の上流側に当該被記録体の先端及び後端を検出する端部検出手段が配置されると共に、当該端部検出手段の搬送方向下流側で後端検出時に当該被記録体が到達していない位置にインクジェット記録機構のヘッドが配置され、当該被記録体の搬送時に位置検出しながら記録データに基づいてインクジェット記録機構のヘッドよりインクを吐出させて記録を行うインクジェット記録機構のインク吐出制御方法であって、
前記インクジェット記録機構にはインクの予備吐出データを含む記録データが入力され、少なくとも、前記搬送手段により搬送されてくる前記被記録体の記録領域先端を検出したときに当該インクジェット記録機構に記録開始信号を出力するステップと、
前記記録開始信号を出力した後に、少なくとも前記記録領域先端検出から発生する前記位置検出の信号を記録領域後端検出までマスキングすると共に、当該記録領域先端検出より当該記録領域後端検出までに擬似位置検出信号を生成して前記インクジェット記録機構に出力して本記録前にインクを予備吐出させるステップと、
前記記録開始信号を出力した後に、前記被記録体の前記記録領域後端検出より正規の前記位置検出の信号を前記インクジェット記録機構に出力することで前記記録データに基づいて本記録させるステップと、
を含むことを特徴とするインクジェット記録機構のインク吐出制御方法。
【請求項２】
記録対象の被記録体に対して記録データに基づいてインクを吐出させることで記録を行うインクジェット記録システムであって、
前記被記録体を、供給位置より記録位置を通って排出位置まで搬送する搬送手段と、
搬送方向の上流側に配置され、前記搬送される被記録体の記録領域先端および記録領域後端を検出する端部検出手段と、
前記端部検出手段の搬送方向下流側で後端検出時に当該被記録体が到達していない位置にヘッドが配置され、前記インクの予備吐出データが含まれる前記記録データを取得し、当該記録データに基づいてヘッドよりインクを吐出して前記被記録体に記録を行うインクジェット記録機構と、
前記搬送手段により搬送される前記被記録体の記録位置を特定するために、搬送状態の当該被記録体の位置を検出する位置検出手段と、
少なくとも、搬送される前記被記録体の記録領域先端が検出されたときに記録開始信号を前記インクジェット記録機構に出力した後、前記位置検出手段からの位置検出信号をマスキングすると共に、当該記録領域先端検出より記録領域後端検出までに擬似位置信号を生成して当該インクジェット記録機構に出力することで前記記録データに含まれる予備吐出データに基づいてインクを予備吐出させ、当該記録領域後端を検出したときに当該位置検出手段からの位置検出信号を当該インクジェット記録機構に出力することで記録データに基づいて本記録させる制御手段と、
を有することを特徴とするインクジェット記録システム。
【発明の詳細な説明】
【技術分野】
【０００１】
本発明は、被記録体に対してフルライン型のインクジェット記録機構よりインク吐出を行って記録する際に、本記録前に予備吐出を行うインク吐出制御方法およびこの方法を用いたインクジェット記録システムに関する。
【背景技術】
【０００２】
近年、インクジェット方式による記録が業務用においても使用されてきており、記録速度が高速化してきている。一方、インクジェット方式は使用されないインク吐出ヘッド内でインクが乾燥により固化して必要時にインク吐出されない状態となることを宿命的に有している。そのため、インク吐出ヘッドを記録前にクリーニングする方法が種々提案されているが、記録工程全体の速度低下を招かずにインク吐出ヘッドのクリーニングを行わせることが望まれている。
【０００３】
従来、インクジェット方式でのインク吐出ヘッドをクリーニングさせるプリンタが種々提案されている。その中で、所定時間使用されていないインク吐出ヘッドに対して一定時間毎にインク吐出ヘッドの使用されていないノズルを駆動させるか、または全ノズルを駆動させるクリーニング制御を行わせるものが知られているが、クリーニングを行わせる位置がランダムであっては記録対象上にインク吐出される場合も生じて品質劣化を招くことから、一定位置でインク吐出させるクリーニング制御を行うプリンタが例えば以下の特許文献に開示されている。
【０００４】
【特許文献１】特開２００２−１０３５９８号公報
【０００５】
上記特許文献に記載されているプリンタは、無端状の搬送ベルトの一部に開口部が設けられ、当該搬送ベルト上に印刷用紙を固定して搬送するものとして、上記開口部がインク吐出させる各ヘッドユニットの対向位置に到達したときに当該搬送ベルトを停止させ、ノズル駆動制御によりインクを吐出させて全ノズルをクリーニングさせるというものである。
【発明の開示】
【発明が解決しようとする課題】
【０００６】
しかしながら、上記特許文献に記載されているプリンタでは、クリーニング時のインク吐出の位置を一定位置で行うことから記録品質の劣化は回避されてはいるが、クリーニング時毎に搬送ベルトを停止させることから、特に大量の記録対象に記録を行う場合にはノズルクリーニングのための多くの時間が費やされることとなって高速による効率向上を図ることが困難であるという問題がある。
【０００７】
一方、記録は搬送されてくる印刷用紙をセンサによって検出し、その後の位置をエンコーダパルスのカウント数で認識しながら行うものが一般的であり、また上記全ノズルのクリーニングを印刷用紙記録の直前で行われることが望ましいことを考慮すると、上記のようなプリンタにおいては印刷用紙の先端検出からエンコーダパルスが発生することから、記録制御が行われている中ではクリーニングのためのインク吐出を行うことができないという事態が生じる。すなわち、上記のようなプリンタでは搬送ベルトを駆動しながらの効果的なノズルクリーニングを行わせることはできない。
【０００８】
そこで、本発明は上記課題に鑑みなされたもので、記録対象を搬送させながら当該記録対象の直前でノズルクリーニングを可能とし、記録品質の向上を図りながら記録の高速処理による効率向上を図るインクジェット記録機構のインク吐出制御方法およびインクジェット記録システムを提供することを目的とする。
【課題を解決するための手段】
【０００９】
上記課題を解決するために、請求項１の発明では、搬送手段により搬送されてくる記録対象の被記録体に対し、搬送方向の上流側に当該被記録体の先端及び後端を検出する端部検出手段が配置されると共に、当該端部検出手段の搬送方向下流側で後端検出時に当該被記録体が到達していない位置にインクジェット記録機構のヘッドが配置され、当該被記録体の搬送時に位置検出しながら記録データに基づいてインクジェット記録機構のヘッドよりインクを吐出させて記録を行うインクジェット記録機構のインク吐出制御方法であって、前記インクジェット記録機構にはインクの予備吐出データを含む記録データが入力され、少なくとも、前記搬送手段により搬送されてくる前記被記録体の記録領域先端を検出したときに当該インクジェット記録機構に記録開始信号を出力するステップと、前記記録開始信号を出力した後に、少なくとも前記記録領域先端検出から発生する前記位置検出の信号を記録領域後端検出までマスキングすると共に、当該記録領域先端検出より当該記録領域後端検出までに擬似位置検出信号を生成して前記インクジェット記録機構に出力して本記録前にインクを予備吐出させるステップと、前記記録開始信号を出力した後に、前記被記録体の前記記録領域後端検出より正規の前記位置検出の信号を前記インクジェット記録機構に出力することで前記記録データに基づいて本記録させるステップと、を含む構成とする。
【００１０】
請求項２の発明では、記録対象の被記録体に対して記録データに基づいてインクを吐出させることで記録を行うインクジェット記録システムであって、前記被記録体を、供給位置より記録位置を通って排出位置まで搬送する搬送手段と、搬送方向の上流側に配置され、前記搬送される被記録体の記録領域先端および記録領域後端を検出する端部検出手段と、前記端部検出手段の搬送方向下流側で後端検出時に当該被記録体が到達していない位置にヘッドが配置され、前記インクの予備吐出データが含まれる前記記録データを取得し、当該記録データに基づいてヘッドよりインクを吐出して前記被記録体に記録を行うインクジェット記録機構と、前記搬送手段により搬送される前記被記録体の記録位置を特定するために、搬送状態の当該被記録体の位置を検出する位置検出手段と、少なくとも、搬送される前記被記録体の記録領域先端が検出されたときに記録開始信号を前記インクジェット記録機構に出力した後、前記位置検出手段からの位置検出信号をマスキングすると共に、当該記録領域先端検出より記録領域後端検出までに擬似位置信号を生成して当該インクジェット記録機構に出力することで前記記録データに含まれる予備吐出データに基づいてインクを予備吐出させ、当該記録領域後端を検出したときに当該位置検出手段からの位置検出信号を当該インクジェット記録機構に出力することで記録データに基づいて本記録させる制御手段と、を有する構成とする。
【発明の効果】
【００１１】
本発明によれば、インクジェット記録機構に対し、搬送される被記録体の記録領域先端が検出されたときに記録開始信号を出力し、その後の位置検出手段からの位置検出信号をマスキングすると共に、当該記録領域先端検出より記録領域後端検出までに擬似位置信号を生成して出力することで記録データに含まれる予備吐出データに基づいてインクを被記録体が到達していない状態で予備吐出させ、当該記録領域後端を検出したときに当該位置検出手段からの位置検出信号を出力することで記録データに基づいて被記録体に本記録させることにより、実際の位置検出信号を用いずに擬似位置検出信号によりインクの予備吐出によるノズルクリーニングを行わせることから、記録対象の被記録体を搬送させながら直前でインクを予備吐出させることができ、被記録体毎にインクの予備吐出を確実に行えることから、記録品質の向上を図りながら記録の高速処理効率を向上させることができるものである。
【発明を実施するための最良の形態】
【００１２】
以下、本発明の最良の実施形態を図により説明する。
図１に、本発明に係るインクジェット記録システムの第１実施形態における概略構成図を示す。なお、本実施形態では、被記録体としてＩＣカードを例として説明する。図１（Ａ）は主要機構部分の概略斜視図、図１（Ｂ）は概略側面図である。図１（Ａ）、（Ｂ）においてインクジェット記録システム１１は、インクジェット記録機構であるインクジェットプリンタ（ＩＪＰ）１２と搬送手段である搬送機構部１３とで構成される。ＩＪＰ１２はインク吐出ヘッドのノズルがフルラインで配置されてモノクロ記録、またはフルカラー記録を行う記録機構のもので、記録位置に固定設置される。
【００１３】
なお、ノズルからのインク吐出は従前の機構のもので足りる。また、ＩＪＰ１２には、後述するが他のコンピュータ等のシステムより記録データが送られ、当該記録データに基づいてインク吐出のためのノズル駆動の制御が行われるもので、当該記録データにはインクを予備吐出させるための予備吐出データが含まれる。
【００１４】
上記搬送機構部１３は、対応の筐体内にガイド部２１Ａ，２１Ｂが設けられ、これに移動体２２が係合されて当該ガイド部２１Ａ，２１Ｂ上を移動ベルト２３により往復移動される。上記移動ベルト２３は下部に設けられている駆動モータ２４により駆動されるもので、当該移動ベルト２３を駆動させるときの回転を検出するエンコーダ（図２（Ａ）参照）を備える。
【００１５】
移動体２２は、大別すると、被記録体であるＩＣカードを保持固定する保持部３１と、予備吐出されたインクを吸着して回収するインク回収部３２とで構成される。上記保持部３１は、軸部３３により回動自在であり、図に表れない偏心カムの回転により当該軸部３３を支点として回動するもので、ＩＣカードを保持面３４で保持したときに吸着固定するための吸引部（図に表れない）を備える。
【００１６】
一方、インク回収部３２は、パッド３５上にインク吐出させるもので、回収したインクを排出する排出ホース３６が取り付けられる。例えば、パッド３５の上方に上記ＩＪＰ１２が位置される。そして、保持部３１の保持面３４の端部上方にカード送り部３７が固定配置されると共に、当該カード送り部３７の下方近傍にカード検出のための端部検出手段であるセンサ３８が設けられる。なお、図示しないがＩＣカードをカード送り部３７に供給する供給機構が配置され、下流側にＩＣカードを保持部３１より受け取って排出する排出機構が設けられるものである。
【００１７】
ここで、図２に、図１のインクジェット記録システムの模式図および制御手段のブロック構成図を示す。図２（Ａ）に示すインクジェット記録システム１１において、移動体２２の保持部３１（保持面３４）上にＩＣカード４１が供給されて保持されるもので、センサ３８による検出が行われたことの検出信号、および移動体２２が移動したときに位置検出手段であるエンコーダ４２からの位置検出信号であるエンコーダパルスが制御手段４３に送信されるもので、当該制御手段４３からＩＪＰ１２に記録開始信号、エンコーダパルスが送出される。なお、ＩＪＰ１２には、他のコンピュータ等より予備吐出データを含む記録データが送出されるが、当該記録データを制御手段４３より送出することとしてもよい。
【００１８】
そこで、図２（Ｂ）において、制御手段４３は、適宜、制御部５１、パルス生成部５２、マスク回路５３、供給駆動部５４、搬送駆動部５５および保持駆動部５６を備え、適宜入力部４４および表示部４５が接続される。上記制御部５１は、このシステムを統括的に制御するもので、そのためのプログラムを格納し、図示しないメモリ領域に展開されて実行される。上記パルス生成部５２は、ＩＣカード４１の全表面を記録領域とした場合、センサ３８による当該記録領域の先端検出より記録開始信号をＩＪＰ１２に送出すると共に、当該先端検出より記録領域の後端検出までの所定時間後に擬似位置信号である擬似エンコーダパルスを生成してＩＪＰ１２に送出するためのもので、そのための回路で構成される。
【００１９】
上記マスク回路部５３は、上記パルス生成部５２より記録開始信号がＩＪＰ１２に送出された後にエンコーダ４２からのエンコーダパルスをマスキングし、センサ３８によるＩＣカード４１の後端検出されたときに当該エンコーダ４２からのエンコーダパルスをＩＪＰ１２に送出するためのもので、そのための回路で構成される。上記供給駆動部５４は、図示しないカード供給手段から供給されてくるＩＣカード４１を保持部３１の保持面３４に位置させるために上記ＩＣカード送り部３７を駆動制御するためのもので、そのための回路で構成される。
【００２０】
上記搬送駆動部５５は、移動体２２をガイド部２１Ａ，２１Ｂ上で往復移動させる上記駆動モータ２４を駆動するためのもので、そのための回路で構成される。上記保持駆動部５６は、保持部３１が備える例えば吸引吸着手段に対し、上記保持面３４上に位置されたＩＣカード４１を保持固定させる駆動信号を送出するためのもので、そのための回路で構成される。また、上記入力部４４は、制御部５１に対して例えば時間設定などの設定を行うためのものである。なお、図示しなかった上述のＩＣカードをカード送り部３７に供給する供給機構および排出する排出機構に対しても駆動のための信号を生成するものである。
【００２１】
そこで、図３に図２の制御手段によるインク吐出制御の処理フローチャートを示すと共に、図４に図２の制御手段によるインク吐出制御のタイミングチャートを示す。図３において、処理開始では、移動体２２は初期位置にあり、ＩＪＰ１２には予備吐出データを含む記録データが入力される（ＩＪＰ１２における記録処理については図５および図６で説明する）。まず、図示しない供給機構より供給されてくるＩＣカード４１を、供給駆動部５４がＩＣカード送り部３７を駆動して移動体２２の保持部３１上にＩＣカード４１を位置させる（ステップ（Ｓ）１）。このとき、センサ３８による当該ＩＣカード４１の先端が検出される（Ｓ２、図４の先端検知）。先端検知されると、パルス生成部５２が記録開始信号をＩＪＰ１２に送出する（Ｓ３、図４の記録開始信号）。そして、上記ＩＣカード送り部３７がＩＣカード４１を保持面３４上に位置させたときに保持駆動部５６が上述のように例えば吸着手段で保持固定させる（Ｓ４）。
【００２２】
なお、図１に示す搬送機構部１３では、ＩＣカード４１が供給されるときには保持部３１は下方に位置され、ＩＣカード４１が供給されてＩＣカード送り部３７によって保持面３４上に当該ＩＣカード４１が位置されたときにＩＪＰ１２のインク吐出ヘッドに近接させるために上記偏心カムによって若干量上昇する。そして、後にＩＣカード４１の排出された後は下降して初期位置に戻るものである。
【００２３】
ＩＣカード４１が保持台３１上に保持固定されると、搬送駆動部５５が駆動モータ２４を駆動して移動体２２を移動させる（Ｓ５）。このとき、エンコーダ４２においてエンコーダパルスが発生して送られてきたときにマスク回路部５３が当該エンコーダパルスをマスキングする（Ｓ６、図４の破線のエンコーダパルス）。一方で、パルス回路部５２では、上記センサ３８による先端検出より所定時間Ｔ１後に擬似エンコーダパルスを生成してＩＪＰ１２に出力することでインクの予備吐出を行わせる（Ｓ７）。その後、移動体２２の移動によってセンサ３８がＩＣカード４１の後端を検出すると（Ｓ８、図４の後端検知）、マスク回路部５３がエンコーダ４２からのエンコーダパルスをそのままＩＪＰ１２に出力する（Ｓ９、図４の実線のエンコーダパルス）。
【００２４】
ＩＪＰ１２において記録が行われ、記録済のＩＣカード４１が図示しない排出機構に排出されたときに搬送駆動部５５が移動体２２を初期位置に復帰させるべく駆動モータ２４を駆動する（Ｓ１０）。そして、移動体２２が初期位置に復帰したときに（Ｓ１１）、パルス生成部５２が戻り信号を保持する（Ｓ１２、図４の戻り信号）。次の記録すべきＩＣカード４１が存在するときには（Ｓ１３）、上記Ｓ１から繰り返されるが、次の記録開始信号は、当該戻り信号と先端検知の信号とによって生成されてＩＪＰ１２に出力されるものである。また、次の記録すべきＩＣカード４１が存在しないときには（Ｓ１３）、終了する。
【００２５】
次に、図５に図２のインクジェットプリンタの記録処理フローチャートを示すと共に、図６に図２のインクジェットプリンタにおける記録処理の説明図を示す。上記図３および図４では制御手段４３による制御を示したが、ここではＩＪＰ１２での記録処理を説明するものである。図５において、まず、予備吐出データを含む記録データを入力し（Ｓ１１、図６（Ａ））、その後、ＩＣカード４１が保持台３１に保持されるときにセンサ３８においてＩＣカード４１の先端検知がされると（Ｓ１２）、制御手段４３より記録開始信号を入力する（Ｓ１３、図６（Ｂ））。
【００２６】
その後、移動体２２が移動して搬送されるＩＣカード４１の先端検知より所定時間後に、制御手段４３よりエンコーダ４２からのエンコーダパルスをマスキングして生成させた擬似エンコーダパルスを入力したときに、移動体２２のパッド３５上に当該擬似エンコーダパルスに応じた記録データ中の予備吐出データに基づいて予備的にインク吐出ヘッドのノズルよりインクを吐出させることで当該インク吐出ヘッドのクリーニングを行う（Ｓ１４、図６（Ｃ））。移動体２２は移動し続け、当該ＩＣカード４１の後端が検知されると（Ｓ１５、図６（Ｄ））、エンコーダ４２より出力されるエンコーダパルスを入力し、当該ＩＣカード４１に対応した記録データに基づいて本記録を行う（Ｓ１６、図６（Ｅ））。
【００２７】
そして、移動体２２が初期位置に戻され（Ｓ１７）、次に記録するＩＣカード４１が存在するときには（Ｓ１８）、全枚数が終了するまでＳ１１〜Ｓ１６を繰り返し、存在しないときには終了する。
【００２８】
このように、エンコーダ４２からのエンコーダパルスを用いずに、生成した擬似エンコーダパルスによりインクの予備吐出させてノズルクリーニングを行わせることから、記録対象のＩＣカード４１を搬送させながら本記録の直前でインクを予備吐出させることができ、当該ＩＣカード４１毎にインクの予備吐出を確実に行え、記録品質の向上を図りながら記録の高速処理効率を向上させることができるものである。
【００２９】
次に、図７に、本発明に係るインクジェット記録システムの第２実施形態における概念構成図を示す。第２実施形態では、被記録体として単片の用紙に所定の記録を行わせる場合を示したもので、図７（Ａ）は側面模式図、図７（Ｂ）は搬送ベルトの概念斜視図である。図７（Ａ）、（Ｂ）において、用紙６１は、搬送ベルト６２上に供給ベルト６５より供給され、所定の記録後に排出ベルト６６に排出されるもので、当該搬送ベルト６２にエンコーダ４２が配置される。これら搬送ベルト６２、供給ベルト６５および排出ベルト６６が搬送手段（搬送機構部）の一部（駆動部等は図示しない）を構成する。また、搬送ベルト６２上の所定位置の上方にＩＪＰ１２が位置され、その直下であって、当該搬送ベルト６２の記録面下方にパッド６３が配置される。そして、搬送ベルト６２には所定数の開口部６４が形成される。
【００３０】
このような搬送機構部を備えるインクジェット記録システムは、搬送ベルト６５に形成されている開口部６４が過ぎたあたりで（そのための検知を図示しないセンサまたはセンサ３８等によって行う）、供給ベルト６５より用紙６１が供給され、センサ３８により先端検知されたときに制御手段４３より記録開始信号がＩＪＰ１２に送出される。当該先端検知よりエンコーダ４２からのエンコーダパルスはマスク回路部（５３）によってマスキングされる。その後、当該先端検知から所定時間後の後端検知までの間に上記制御手段４３で生成された擬似エンコーダパルスがＩＪＰ１２に入力されたときに、搬送ベルト６２上の開口部６４が当該ＩＪＰ１２の直下に位置され、当該ＩＪＰ１２の直下に開口部６４を介して望まれるパッド６３に対して予備吐出データに基づくインクを吐出してノズルクリーニングを行う。
【００３１】
その後、用紙６１が搬送されて後端がセンサ３８により検知されたときに上記マスキングが解除され、制御手段４３よりＩＪＰ１２にエンコーダ４２からのエンコーダパルスが入力されることによって記録データに基づいて本記録が行われる。そして、本記録の終了後に搬送ベルト６２より排出ベルト６６に記録済の用紙６１が排出されるものである。
【００３２】
このように、被記録体として単片の用紙６１に対して記録を行わせる場合であっても搬送される当該用紙６１毎にインクを予備吐出させてノズルクリーニングを行わせることから、上記同様に、記録対象の用紙６１を搬送させながら本記録の直前でインクを予備吐出させることができ、当該用紙６１毎にインクの予備吐出を確実に行えることから、記録品質の向上を図りながら記録の高速処理効率を向上させることができるものである。なお、被記録体として単片の用紙６１を適用させる場合として、第１実施形態のように対応の保持部を設けた移動体で行わせることもできるが、本実施形態は簡易構成で実現させようとするものである。
【００３３】
次に、図８に、本発明に係るインクジェット記録システムの第３実施形態における概念構成図を示す。図８は被記録体として連続用紙を適用させる場合を示したもので、連続用紙７１は、その両側に孔が形成されたマージナル部７２Ａ，７２Ｂが設けられ、後に枚葉とさせるための切取線７３と（特に必要ではない）、枚葉となる対象の記録領域７４とが一定間隔で配置されている。この場合、切取線７３部分がノズルクリーニングのためのインク予備吐出を行わせる予備吐出領域７５とさせるものである。そして、記録領域７４の先端と後端を検知させるための先端タイミングマーク７６と後端タイミングマーク７７とが当該記録領域７４毎に形成されるものである。
【００３４】
このように連続用紙７１にインクジェット記録システムにより記録を行わせる場合、特に図示しないが、搬送手段（搬送機構部）として当該連続用紙７１を搬送するトラクタ（エンコーダを備える回転機構）等と、各タイミングマーク７６，７７を検知する端部検出手段としてのセンサが配置されるものである。
【００３５】
すなわち、連続用紙７１が搬送されて先端タイミングマーク７６が検知されたときに、制御手段４３よりＩＪＰ（１２）に記録開始信号が送出される。このとき、エンコーダからのエンコーダパルスはマスク回路部（５３）でマスキングされる。その後、当該先端検知から所定時間後の後端検知までの間に上記制御手段（４３）で生成された擬似エンコーダパルスがＩＪＰ（１２）に入力されたときに、当該連続用紙７１上の予備吐出領域７５に対して予備吐出データに基づくインクを吐出してノズルクリーニングをおこう。
【００３６】
その後、連続用紙７１が搬送されて後端タイミングマーク７７が検知されたときにエンコーダパルスの上記マスキングが解除され、制御手段（４３）よりＩＪＰ１（２）にエンコーダからのエンコーダパルスが入力されることによって記録データに基づいて本記録が行われる。そして、次の予備吐出領域７５にインクの予備吐出を行わせた直後に記録領域７４に本記録を行わせることを繰り返すものである。
【００３７】
このように、被記録体として連続用紙７１に対して記録を行わせる場合であっても搬送される本記録の直前にインクを予備吐出させてノズルクリーニングを行わせることが可能であるから、上記同様に、各記録領域７４毎にインクの予備吐出を確実に行え、記録品質の向上を図りながら記録の高速処理効率を向上させることができるものである。
【産業上の利用可能性】
【００３８】
本発明のインクジェット記録機構のインク吐出制御方法およびこの方法を用いたインクジェット記録システムは、特にフルライン型のモノクロまたはカラー対応のインク吐出ヘッドを備えて記録を行わせる印刷業務、一般オフィスおよびパーソナルで使用される場合に適するものである。
【図面の簡単な説明】
【００３９】
【図１】本発明に係るインクジェット記録システムの第１実施形態における概略構成図である。
【図２】図１のインクジェット記録システムの模式図および制御手段のブロック構成図である。
【図３】図２の制御手段によるインク吐出制御の処理フローチャートである。
【図４】図２の制御手段によるインク吐出制御のタイミングチャートである。
【図５】図２のインクジェットプリンタの記録処理フローチャートである。
【図６】図２のインクジェットプリンタにおける記録処理の説明図である。
【図７】本発明に係るインクジェット記録システムの第２実施形態における概念構成図である。
【図８】本発明に係るインクジェット記録システムの第３実施形態における概念構成図である。
【符号の説明】
【００４０】
１１            インクジェット記録システム
１２            ＩＪＰ
１３            搬送機構部
２２            移動体
３１            保持部
３４            保持面
３５，６３      パッド
３８            センサ
４１            ＩＣカード
４２            エンコーダ
５１            制御部
５２            パルス生成部
５３            マスク回路部
６１            用紙
６２            搬送ベルト
６４            開口部
７１            連続用紙
【図１】
0004626941.tif 000002
【図２】
0004626941.tif 000003
【図３】
0004626941.tif 000004
【図４】
0004626941.tif 000005
【図５】
0004626941.tif 000006
【図６】
0004626941.tif 000007
【図７】
0004626941.tif 000008
【図８】
0004626941.tif 000009